(57)【要約】【課題】前面枠を外枠から取り外し難くしながらも、前面枠と外枠との取り付けを容易にする簡易な取り付け構造を有する遊技機を提供する。【解決手段】支軸挿入部材４０に挿入された支軸１１の突出方向に対して略直交方向の移動を規制して支軸を保持可能とする支軸保持孔５１を備える支軸保持片５０と、支軸保持片が取り付けられる支軸保持片取付部材４４と、支軸保持片が支軸保持片取付部材に対し第１位置と第２位置との間を変位自在となるように、支軸保持片と支軸保持片取付部材とを連結する連結部材６０とを有し、連結部材、支軸保持片取付部材、支軸保持片の少なくともいずれか一に支軸保持片を第１位置の状態に付勢する付勢手段７０を備える。【選択図】図４
2006061455.tif 000002
【特許請求の範囲】
【請求項１】
外枠と、前記外枠の前面側に取り付けられる前面枠とを有し、前記外枠の一側もしくは前記前面枠の一側にあって、前記外枠もしくは前記前面枠のいずれか一方の一側に支軸を備えると共に、他方の一側に前記支軸を該支軸の突出方向に対して略直交方向から挿入移動可能とする支軸挿入溝を形成する支軸挿入部材とを備える遊技機において、
前記他方の一側に、前記支軸挿入部材に挿入された前記支軸の突出方向に対して略直交方向の移動を規制して前記支軸を保持可能とする支軸保持孔を備える支軸保持片と、
前記支軸保持片が取り付けられる支軸保持片取付部を備える支軸保持片取付部材と、
前記支軸保持片が前記支軸保持片取付部材に対し第１位置と第２位置との間を変位自在となるように、前記支軸保持片と前記支軸保持片取付部材とを連結する連結部材とを有し、
前記支軸保持片が前記第２位置である場合、前記支軸が前記支軸挿入溝内を移動可能となり、前記支軸が前記支軸挿入溝の所定位置で前記支軸保持片の支軸保持孔に入ることにより前記支軸保持片は前記第１位置となって前記支軸が前記支軸挿入溝内を移動不可能に構成し、
前記連結部材、前記支軸保持片取付部材、前記支軸保持片の少なくともいずれか一に前記支軸保持片を前記第１位置の状態に付勢する付勢手段を備えることを特徴とする遊技機。
【請求項２】
前記付勢手段が、前記連結部材と前記支軸保持片取付部材の間に配置されることを特徴とする請求項１に記載の遊技機。
【請求項３】
前記付勢手段が、前記連結部材と前記支軸保持片の間に配置されることを特徴とする請求項１に記載の遊技機。
【請求項４】
前記支軸保持片に前記連結部材が挿通する連結部材挿通孔と、前記支軸保持片取付部材に前記連結部材が挿通する取付部材挿通孔を設けると共に、前記連結部材は該連結部材の一端側と他端側に前記連結部材挿通孔及び前記取付部材挿通孔からの脱落を防止する一端側凸片及び他端側凸片を備え、
前記連結部材は、前記支軸保持片が第１位置の状態時において前記支軸保持片取付部材と前記連結部材の一端側凸片との間に一端側隙間を有する長さが含まれる全長とし、
前記一端側隙間に付勢手段を備えることを特徴とする請求項１又は２に記載の遊技機。
【請求項５】
前記支軸保持片に前記連結部材が挿通する連結部材挿通孔と、前記支軸保持片取付部材に前記連結部材が挿通する取付部材挿通孔を設けると共に、前記連結部材は該連結部材の一端側と他端側に前記連結部材挿通孔及び前記取付部材挿通孔からの脱落を防止する一端側凸片及び他端側凸片を備え、
前記連結部材は、前記支軸保持片が第１位置の状態時において前記支軸保持片と前記連結部材の他端側凸片との間に他端側隙間を有する長さが含まれる全長とし、
前記他端側隙間に付勢手段を備えることを特徴とする請求項１又は３に記載の遊技機。
【請求項６】
前記付勢手段が弾性部材であることを特徴とする請求項１ないし５のいずれか１項に記載の遊技機。
【発明の詳細な説明】
【技術分野】
【０００１】
本発明は、遊技機に関し、特に遊技機の外枠と前面枠との取り付け構造に関する。
【背景技術】
【０００２】
一般に、パチンコ遊技機、スロットマシン等の遊技機においては、その外枠が遊戯施設の遊技島に固定され、この外枠に対して前面枠がヒンジ部により開閉可能に軸支されている。そして、遊技機の交換、保守・点検時等の必要に応じて遊技機の前面枠の軸支は解除され、外枠から前面枠は外される。
【０００３】
しかしながら、従前のヒンジ部の構成によると、作業者は前面枠の重量（遊技機の大半の重量）を受けながら、前面枠と外枠のヒンジ部同士の接合箇所を合わせなければならず、前面枠を外枠に取り付ける場合、かなりの困難を伴っていた。また、いったん前面枠を外枠に取り付けた後も、容易に前面枠を外枠から取り外すことができた。
【０００４】
そこで、前面枠と外枠との取り付けを簡単にすると共に、前面枠を外枠から外れにくくする構造として、図１０及び図１１に開示する遊技機の通り、前面枠のヒンジ構造が提案されている（特許文献１参照）。
【０００５】
遊技者（図示せず）側から見て外枠２０１の左上の角（一側）に支軸挿入部材２２１が備えらる。そして、この支軸挿入部材のガイド片２２２の上部に支軸保持片２３１が鍔部２４０を介してビスＶによる螺着により被せられる。ちょうど、規制片２３３がガイド片２２２の側部を抱えるようにして、ビスＶを中心とする回動を規制している。
【０００６】
また、遊技者（図示せず）側から見て前面枠２０２の左上の角（一側）に上部支軸２１１が備えられ、該上部支軸はガイド片の支軸挿入溝２２３内に挿入される。こうして、上部支軸２１１は、ガイド片上に被さる支軸保持片２３１の支軸保持孔２３２により保持される。
【０００７】
なお、上部支軸２１１の支軸挿入溝２２３内への挿入を容易にするため、支軸保持片２３１には略上向きの誘導部２３４が配され、上部支軸２１１は誘導部２３４の下方に当接しながら支軸挿入溝２２３内に収まる。さらに、図１１の断面図から理解されるように、誘導部２３４は上動阻止片２１５により固定され、結果として支軸保持片２３１は上部支軸２１１を保持することとなる。
【０００８】
ところで、特許文献１にて提案されている構造においては、各部材の位置関係から自明なように、外枠２０１の支軸保持片２３１（特には誘導部２３４）を前面枠２０２の上動阻止片２１５が押さえ込む構造である。
【０００９】
従って、誘導部２３４と上動阻止片２１５とを係合させる位置関係には、当然に正確な位置関係を要し、僅かなずれ（歪み）が生じたとすると、両者は係合しなくなるおそれがある。現実には、各部材は金属から形成され微妙な変形が生じることもある。また、上部支軸２１１と図示しない下部支軸との軸線の歪みも考えられる。以上を踏まえると、外枠と前面枠の双方において、生じたずれ（歪み）の補正を図りながら均衡を保つことは極めて困難とされる。
【特許文献１】特開２００４−８２６５号公報
【発明の開示】
【発明が解決しようとする課題】
【００１０】
本発明は前記の点に鑑みなされたものであり、支軸保持片の移動を、当該支軸保持片が取り付けられる外枠もしくは前面枠のいずれか一方のみで規制する構造を有する遊技機を提供するものである。
【課題を解決するための手段】
【００１１】
すなわち、請求項１の発明は、外枠と、前記外枠の前面側に取り付けられる前面枠とを有し、前記外枠の一側もしくは前記前面枠の一側にあって、前記外枠もしくは前記前面枠のいずれか一方の一側に支軸を備えると共に、他方の一側に前記支軸を該支軸の突出方向に対して略直交方向から挿入移動可能とする支軸挿入溝を形成する支軸挿入部材とを備える遊技機において、前記他方の一側に、前記支軸挿入部材に挿入された前記支軸の突出方向に対して略直交方向の移動を規制して前記支軸を保持可能とする支軸保持孔を備える支軸保持片と、前記支軸保持片が取り付けられる支軸保持片取付部を備える支軸保持片取付部材と、前記支軸保持片が前記支軸保持片取付部材に対し第１位置と第２位置との間を変位自在となるように、前記支軸保持片と前記支軸保持片取付部材とを連結する連結部材とを有し、前記支軸保持片が前記第２位置である場合、前記支軸が前記支軸挿入溝内を移動可能となり、前記支軸が前記支軸挿入溝の所定位置で前記支軸保持片の支軸保持孔に入ることにより前記支軸保持片は前記第１位置となって前記支軸が前記支軸挿入溝内を移動不可能に構成し、前記連結部材、前記支軸保持片取付部材、前記支軸保持片の少なくともいずれか一に前記支軸保持片を前記第１位置の状態に付勢する付勢手段を備えることを特徴とする遊技機に係る。
【００１２】
請求項２の発明は、前記付勢手段が、前記連結部材と前記支軸保持片取付部材の間に配置されることを特徴とする請求項１に記載の遊技機に係る。
【００１３】
請求項３の発明は、前記付勢手段が、前記連結部材と前記支軸保持片の間に配置されることを特徴とする請求項１に記載の遊技機に係る。
【００１４】
請求項４の発明は、前記支軸保持片に前記連結部材が挿通する連結部材挿通孔と、前記支軸保持片取付部材に前記連結部材が挿通する取付部材挿通孔を設けると共に、前記連結部材は該連結部材の一端側と他端側に前記連結部材挿通孔及び前記取付部材挿通孔からの脱落を防止する一端側凸片及び他端側凸片を備え、前記連結部材は、前記支軸保持片が第１位置の状態時において前記支軸保持片取付部材と前記連結部材の一端側凸片との間に一端側隙間を有する長さが含まれる全長とし、前記一端側隙間に付勢手段を備えることを特徴とする請求項１又は２に記載の遊技機に係る。
【００１５】
請求項５の発明は、前記支軸保持片に前記連結部材が挿通する連結部材挿通孔と、前記支軸保持片取付部材に前記連結部材が挿通する取付部材挿通孔を設けると共に、前記連結部材は該連結部材の一端側と他端側に前記連結部材挿通孔及び前記取付部材挿通孔からの脱落を防止する一端側凸片及び他端側凸片を備え、前記連結部材は、前記支軸保持片が第１位置の状態時において前記支軸保持片と前記連結部材の他端側凸片との間に他端側隙間を有する長さが含まれる全長とし、前記他端側隙間に付勢手段を備えることを特徴とする請求項１又は３に記載の遊技機に係る。
【００１６】
請求項６の発明は、前記付勢手段が弾性部材であることを特徴とする請求項１ないし５のいずれか１項に記載の遊技機に係る。
【発明の効果】
【００１７】
本発明に係る遊技機によると、支軸挿入部材に挿入された支軸の突出方向に対して略直交方向の移動を規制して前記支軸を保持可能とする支軸保持孔を備える支軸保持片と、前記支軸保持片が取り付けられる支軸保持片取付部を備える支軸保持片取付部材と、前記支軸保持片が前記支軸保持片取付部材に対し第１位置と第２位置との間を変位自在となるように、前記支軸保持片と前記支軸保持片取付部材とを連結する連結部材とを有し、前記支軸保持片が前記第２位置である場合、前記支軸が前記支軸挿入溝内を移動可能となり、前記支軸が前記支軸挿入溝の所定位置で前記支軸保持片の支軸保持孔に入ることにより前記支軸保持片は前記第１位置となって前記支軸が前記支軸挿入溝内を移動不可能に構成し、前記連結部材、前記支軸保持片取付部材、前記支軸保持片の少なくともいずれか一に前記支軸保持片を前記第１位置の状態に付勢する付勢手段を備えるため、支軸保持片の第１位置から第２位置への移動を簡易な構造により規制することができる。
【００１８】
とりわけ、支軸保持片が取り付けられる外枠もしくは前面枠のいずれか一方の一側のみに、上記支軸保持片の第１位置の状態に付勢する付勢手段を備えるため、支軸保持片の第１位置の状態への付勢の調整が容易となると共に、所要の力を加えるだけで、支軸保持片を第２位置として支軸を支軸保持孔より出し入れすることが可能となる。
【００１９】
また、請求項２又は３の発明に係る遊技機とするため、付勢手段の変形により、支軸保持片が移動できる範囲は、大きくなる。従って、外枠に対する前面枠の取り付け、及び外枠から前面枠の取り外しは可能となる。
【００２０】
加えて、請求項４又は５の発明に係る遊技機とするため、連結部材の一端側凸片と支軸保持片取付部材との間、もしくは他端側凸片と支軸保持片取付部材との間に付勢手段備えるという簡易な構造となり、支軸保持片の移動を規制することができる。
【００２１】
さらに、請求項６の発明に係る遊技機によると、付勢手段が弾性部材であるため、単純な構造としながら付勢力を得ることができる。
【発明を実施するための最良の形態】
【００２２】
以下添付の図面に従ってこの発明を詳細に説明する。図１は本発明の一実施例に係る遊技機全体の正面図、図２は外枠と前面枠の全体斜視図、図３は外枠に前面枠を取り付けた状態の全体斜視図、図４は支軸挿入部材の分解斜視図、図５は支軸保持片の全体斜視図、図６は第１状態の支軸挿入部材と支軸保持片の構造断面図、図７は第２状態の支軸挿入部材と支軸保持片の構造断面図、図８は外枠に前面枠を取り付ける際の状態の位置関係を示す部分斜視図、図９は他の実施例に係る支軸挿入部材と支軸保持片の構造断面図である。
【００２３】
実施例における遊技機（パチンコ遊技機を例示する）１は、図１ないし図４に示す通り、外枠１０と、前面枠２０とを備えている。この外枠１０は、遊技店のいわゆる遊技島あるいは島設備（図示せず）の所定位置に設置、固定される。そして、この外枠１０に対して前面枠２０が取り付けられる（図３参照）。図中、符号１０ａ，１０ｂ，１０ｃ，１０ｄは外枠１０の四隅、２０ａ，２０ｂ，２０ｃ，２０ｄは前面枠２０の四隅である。
【００２４】
ここで、遊技機１に配置されている主な部材を説明する。図１において、遊技機１の遊技盤３の縁に遊技球の外側誘導レール４及び内側誘導レール５が略円形に立設され、内側誘導レール５によって囲まれた遊技領域６の中心線上にその上部から下部に向かって順に表示装置９、始動入賞口７、特別電動役物である大入賞口８、アウト口２が配設され、表示装置９の左右に各種の入賞口が配置される。遊技盤３の前面側には、払い出された遊技球を受けるための上側球受け皿３２、該上側球受け皿３２を取り付けるための取付板３３、上側球受け皿３２の飽和時に遊技球を受けるための下側球受け皿３４、遊技状態を報知するランプ表示器３５，３６及び飾りランプ３９Ｌ，３９Ｒを備えたガラス枠５００、音声や効果音を発して遊技状態を遊技者に報知するスピーカ３７、発射ハンドルＨがそれぞれ組み付けられている。符号１０は遊技機１の外枠、２０は前面枠であり、当該前面枠２０にガラス枠５００、上側球受け皿３２、下側球受け皿３４が組み付けられる。また、前面枠２０には遊技盤３が取り付けられている。この遊技盤３と同遊技盤に設けられた始動入賞口７、大入賞口８、表示装置９等、及びこれらの入賞口、装置を制御する制御回路は、新しいゲームとなると、交換される。
【００２５】
実施例の遊技機１にあっては、図２に示すとおり外枠１０と前面枠２０の一方である外枠１０の一側（１０ａ−１０ｂ側）に、支軸（第１支軸１１，第２支軸１８）を備える。同時に、外枠１０と前面枠２０の他方である前面枠２０の一側（２０ａ−２０ｂ側）に、支軸挿入溝４１を形成した支軸挿入部材４０と、第２支軸挿入孔２８を有する第２支軸挿入部材２９とを備える。図２中、符号１３は第１支軸を外枠１０に取り付ける第１支軸取付部材、１９は第２支軸を外枠１０に取り付ける第２支軸取付部材である。また、上記構造によると、外枠１０における他側は１０ｄ−１０ｃ側となり、前面枠２０における他側は２０ｄ−２０ｃ側となる。
【００２６】
そこで、図３に示すように、外枠１０と前面枠２０のうち、その他方である前面枠２０の一側には、支軸（第１支軸１１，第２支軸１８）を該支軸の突出方向（第２支軸１８から第１支軸１１へ向かう方向）に対し、後に図８を用い詳述する略直交方向から挿入移動可能とする支軸挿入溝４１を形成した支軸挿入部材４０が備えられる。図示の通り、第１支軸１１は当該支軸挿入部材４０の支軸挿入溝４１内（図４参照）で回動可能とされ、併せて第２支軸１８も第２支軸挿入部材２９の第２支軸挿入孔２８内（図２参照）で回動可能とされる。
【００２７】
前記前面枠２０の四隅の一つである２０ａ部分に位置する支軸挿入部材４０について、図４を用い詳述する。支軸挿入部材４０の支軸保持片取付部４７には、当該支軸挿入部材４０に挿入された第１支軸１１の突出方向（図示では軸台１２に垂直方向）に対して略直交方向（軸台１２と平行方向）の移動を規制し、前記第１支軸１１を保持可能とする支軸保持孔５１を備える支軸保持片５０が配置されている。
【００２８】
前記支軸挿入部材４０は、第１支軸が略Ｌ字状の支軸挿入溝４１への挿入を可能とする略Ｃ字状のガイド部４３，４３を備えると共に、実施例のように、支軸保持片５０が取り付けられる支軸保持片取付部４７を有する支軸保持片取付部材４４としても機能している。実施例の支軸挿入部材４０は、支軸保持片取付部材４４とガイド部４３，４３とを一体に形成している。符号４１ｈは挿入溝奥部である。なお、図示を省略するが支軸保持片取付部材４４と支軸挿入部材４０を別々の部材とすることもできる。
【００２９】
前記支軸保持片５０には、支軸挿入部材４０（支軸保持片取付部材４４）に対し第１位置（図６参照）と第２位置（図７参照）との間を変位自在となるように、支軸保持片５０と支軸保持片取付部材４４とを連結する連結部材６０が設けられる。さらに、この連結部材６０に支軸保持片５０を前記第１位置の状態に付勢する付勢手段として弾性部材であるゴム筒（ラバーブッシング）７０が備えられている。
【００３０】
付勢手段として用いられる弾性部材には実施例のゴム筒に加えて弦巻ばね等（図示せず）を用いることもできる。従って、付勢手段は極めて簡単な構造としながら十分な付勢力を得ることができる。
【００３１】
ここで、図６に示す第１位置とは、支軸保持片５０と支軸挿入部材４０（支軸保持片取付部材４４）が互いに平行となる位置関係である。このとき、第１支軸１１が支軸挿入溝４１内（特には挿入溝奥部４１ｈ内）及び支軸保持孔５１内にはまり込む。つまり、外枠に前面枠を取り付け終えた状態となる。支軸保持片５０は、支軸保持片取付部材４４に対し、連結部材６０及び後述する規制片５８により回動することができなくなる。そのため、第１支軸１１が支軸保持孔５１にはまり込むことによって、第１支軸１１は支軸挿入溝４１内を移動することが規制される。
【００３２】
また、図７に示す第２位置とは、支軸保持片５０が支軸挿入部材４０（支軸保持片取付部材４４）より浮き上がっている位置関係である。このとき、第１支軸１１は支軸挿入溝４１内にはまり込んでいるものの、第１支軸１１は支軸保持孔５１により保持されてはいない。従って、第１支軸１１にあっては、軸台１２が支軸挿入部材４０のガイド部４３，４３に当接するため、その第１支軸の突出方向への移動は、規制されている。しかし、第１支軸１１の突出方向に対して略直交方向（軸台１２と平行方向）への移動は規制されていない。つまり、外枠に前面枠を取り付ける（もしくは取り外す）途中の状態となる。
【００３３】
図４及び図５から理解されるように、支軸保持片５０には、略上向き角度の誘導部５３が備えられる。誘導部５３によって、第１支軸１１は支軸保持片５０の下方に誘導され、第１支軸１１は支軸保持孔５１内に容易に保持される。さらに、支軸保持片５０には、略Ｌ字状に形成された規制片５８が設けられ、さらに規制片５８の先端に規制端部５９が設けられている。規制片５８は支軸挿入部材４０（実施例では支軸保持片取付部材４４）の規制片挿入溝４９内に挿入されることにより、支軸保持片５０の支軸挿入部材４０上での回動移動は抑制される。すなわち、連結部材６０を回動の軸とする支軸保持片５０の回動の規制である。また、規制片５８の先端の規制端部５９が支軸保持片取付部材４４の下側に入り込むことにより、第２位置（図７参照）における支軸保持片５０の支軸挿入部材４０からの浮き上がりの範囲（上動範囲）を規制している。
【００３４】
図４ないし図８に示す実施例においては、支軸保持片５０に連結部材６０が挿通する連結部材挿通孔５２と、支軸保持片取付部材４４に連結部材６０が挿通する取付部材挿通孔４５が設けられている。とりわけ、図６より理解されるように、連結部材６０は、当該連結部材の一端側（図示の連結部材の下部）に、取付部材挿通孔４５から引き抜かれることを防止するための一端側凸片６１を備える。同時に当該連結部材の他端側（図示の連結部材の上部）に、連結部材挿通孔５２からの脱落を防止するための他端側凸片６２も備える。図中、符号６３は連結部材の胴部である。
【００３５】
連結部材６０は、支軸保持片５０が第１位置の状態時において支軸保持片取付部材４４と連結部材６０の一端側凸片６１との間に一端側隙間Ｇ１を有する長さを含む全長６０ｔとして形成される（連結部材の全長６０ｔ＞他端側凸片６２の厚さ＋連結部材挿通孔５２の長さ＋取付部材挿通孔４５の長さ＋一端側凸片６１の厚さ）。そして、連結部材６０、特には一端側凸片６１と支軸保持片取付部材４４の間である一端側隙間Ｇ１に支軸保持片５０を第１位置に付勢する付勢手段（弾性部材であるゴム筒７０）が備えられる。連結部材６０と支軸保持片５０との固定は、連結部材６０の他端側を支軸保持片５０の連結部材挿通孔５２に挿通後、連結部材の他端側をハンマー等で押しつぶすことにより他端側凸片６２を形成して固定するものである。また、実施例の支軸保持片取付部材４４では、第２位置（図７参照）における支軸保持片５０の支軸挿入部材４０からの浮き上がりの範囲を調整するため、凹部４６が設けられている。
【００３６】
図６ないし図８を用い、支軸保持片５０の位置関係を踏まえて外枠１０と前面枠２０との取り付け動作を説明する。まず、第２支軸１８の上に第２支軸挿入部材２９を被せるようにして、第２支軸１８を第２支軸挿入孔２８内に挿入する。次に、図８に示すように、外枠１０の一側（１０ａ側）に位置する支軸（第１支軸１１）の突出方向ｄ１に対し、略直交方向ｄ２から挿入移動可能とするように支軸挿入部材４０を近接させる（角度Ｒは概ね直角である）。
【００３７】
図４より明らかなように、支軸挿入部材４０のガイド部４３，４３が開口している方向を第１支軸１１に向けるため、前面枠２０は外枠１０に向けて上面視において略Ｌ字状となりながら近接する（図３の位置関係参照）。
【００３８】
続いて、図７に示す通り、第１支軸１１の先端は、支軸保持片５０の誘導部５３に当接することによって、支軸保持片５０の下方に誘導されると同時に、支軸保持片５０自体は支軸挿入部材４０から浮き上がる（矢印Ｄ方向を参照）。すなわち、この状態が第２状態である。当該第２状態においては、支軸挿入溝４１の形状から自明なように（図４参照）、第１支軸１１は支軸挿入溝４１内を前後左右に移動することができる。第２状態においては、連結部材６０と支軸保持片取付部材４４との傾き（支軸保持片５０が移動できる範囲）から判るように、弾性部材であるゴム筒７０（付勢手段）が変形し、その付勢力が蓄積される。
【００３９】
さらに、第１支軸１１は支軸挿入溝４１の所定位置（挿入溝奥部４１ｈ）まで進む。挿入溝奥部４１ｈの直上に支軸保持孔５１が位置するため、この支軸保持孔５１内に第１支軸１１ははまり込む。また、ゴム筒７０に蓄積された付勢力が開放され、ゴム筒７０は元の円筒形状に復帰し、支軸保持片５０の支軸挿入部材４０からの浮き上がりは解消される。こうして、図６に示すような第１位置となり、第１支軸１１は支軸保持孔５１によりその周囲を保持される。しかも、支軸保持片５０は支軸保持片取付部材４４に対して規制片５８により支軸保持片の水平方向への移動が規制されているため、第１支軸１１は、ガイド部４３により囲まれた支軸挿入溝４１内での移動不可能となる。そして、軸台１２の上にガイド部４３（支軸挿入部材４０）及び支軸保持片５０が順に積み重なる。
【００４０】
既に詳述したように、実施例の支軸挿入部材は前面枠に配置され（図２等の位置２０ａ参照）、併せて支軸保持片と支軸保持片取付部材とを連結する連結部材に付勢手段が備えられていることにより、運搬時や取り付け時の衝撃が発生した場合であっても、付勢手段の付勢力が衝撃の強さよりも大きく設定されているため、安易に支軸保持片が第１位置から第２位置に移動しなくなる。よって、外枠に前面枠をいったん取り付けた後は外れにくくなる。
【００４１】
この結果、図３に示す通り、外枠１０の一側（１０ａ−１０ｂ側）の支軸（第１支軸１１，第２支軸１８）に前面枠２０の一側（２０ａ−２０ｂ側）に支軸挿入溝４１、第２支軸挿入孔２８が取り付けられる。実施例の遊技機１においては、正面から見て左側｛（１０ａ−１０ｂ側）：（２０ａ−２０ｂ側）｝を回動軸として前面枠２０は左右方向に回動する。
【００４２】
図９に示す他の実施例にあっても、支軸保持片５０に連結部材６０が挿通する連結部材挿通孔５２と、支軸保持片取付部材４４に連結部材６０が挿通する取付部材挿通孔４５が設けられている。連結部材６０Ａは、当該連結部材の一端側（図示の連結部材の下部）に、取付部材挿通孔４５から引き抜かれることを防止するための一端側凸片６１Ａを備える。同時に当該連結部材の他端側（図示の連結部材の上部）に、連結部材挿通孔５２からの脱落を防止するための他端側凸片６２Ａも備える。
【００４３】
連結部材６０Ａは、支軸保持片５０が第１位置の状態（図９参照）において、支軸保持片５０と連結部材６０の他端側凸片６２Ａとの間に他端側隙間Ｇ２を有する長さを含む全長６０ｓとして形成される（連結部材の全長６０ｓ＞他端側凸片６２Ａの厚さ＋連結部材挿通孔５２の長さ＋取付部材挿通孔４５の長さ＋一端側凸片６１Ａの厚さ）。そして、連結部材６０Ａ、特には他端側凸片６２Ａと支軸保持片５０の間である他端側隙間Ｇ２に付勢手段（弾性部材であるゴム筒７０）が備えられる。図示のように、支軸保持片５０と支軸保持片取付部材４４を挟んで一端側凸片６１Ａと他端側凸片６２Ａを備える連結部材６０Ａによると、前記の両凸片同士は連結部材の胴部６３ＡでボルトＢにより接続される。図９において、符号Ｓは取付部材挿通孔により囲まれた隙間である。また、図６と共通箇所は同一符号とし、説明を省略する。
【００４４】
なお、さらに他の実施例としては、図示を省略するが、連結部材の胴部であり、例えば図９の取付部材挿通孔４５により囲まれた隙間Ｓに付勢手段である弾性部材を備え、支軸保持片５０の第１位置から第２位置への移動を規制することもできる。
【００４５】
また、支軸挿入部材を前面枠の四隅の一つである２０ａとするのみならず、２０ｂとすることも当然に可能である。この場合、外枠と前面枠の取り付け方は、予め、第１支軸をはめ合わせた後（１０ａ−２０ａで合わせる）、第２支軸と支軸挿入部材とをはめ合わせることとなる（１０ｂ−２０ｂで合わせる）。
【００４６】
さらには、実施例の遊技機のように、正面から見て左側｛（１０ａ−１０ｂ側）：（２０ａ−２０ｂ側）｝を回動軸として、前面枠を左右方向に回動させる他、例えば、正面から見て上側｛（１０ａ−１０ｄ側）：（２０ａ−２０ｄ側）｝を回動軸としたり、下側｛（１０ｂ−１０ｃ側）：（２０ｂ−２０ｃ側））｝を回動軸として前面枠を上下方向に回動させることもできる。ちなみに、上下方向の回動の場合、支軸保持片の第１位置と第２位置の移動は左右方向となる。
【００４７】
以上の通り、パチンコ遊技機を用いて発明を開示し、かつ説明をしてきたが、本発明はこれに限定されず、コイン遊技機、アレンジボール機、スロットマシン等に用いてもよい。
【図面の簡単な説明】
【００４８】
【図１】本発明の一実施例に係る遊技機全体の正面図である。
【図２】外枠と前面枠の全体斜視図である。
【図３】外枠に前面枠を取り付けた状態の全体斜視図である。
【図４】支軸挿入部材の分解斜視図である。
【図５】支軸保持片の全体斜視図である。
【図６】第１状態の支軸挿入部材と支軸保持片の構造断面図である。
【図７】第２状態の支軸挿入部材と支軸保持片の構造断面図である。
【図８】外枠に前面枠を取り付ける際の状態の位置関係を示す部分斜視図である。
【図９】他の実施例に係る支軸挿入部材と支軸保持片の構造断面図である。
【図１０】従来の遊技機におけるヒンジ部の分解斜視図である。
【図１１】図１０の部分断面図である。
【符号の説明】
【００４９】
１  遊技機
１０  外枠
１１  第１支軸
１２  軸台
１３  第１支軸取付部材
１８  第２支軸
２０  前面枠
２８  第２支軸挿入孔
２９  第２支軸挿入部材
４０  支軸挿入部材
４１  支軸挿入溝
４３  ガイド部
４４  支軸保持片取付部材
４５  取付部材挿通孔
４７  支軸保持片取付部
５０  支軸保持片
５１  支軸保持孔
５２  連結部材挿通孔
５３  誘導部
６０，６０Ａ  連結部材
６１，６１Ａ  一端側凸片
６２，６２Ａ  他端側凸片
７０  付勢手段
Ｇ１  一端側隙間
Ｇ２  他端側隙間
【図１】
2006061455.tif 000003
【図２】
2006061455.tif 000004
【図３】
2006061455.tif 000005
【図４】
2006061455.tif 000006
【図５】
2006061455.tif 000007
【図６】
2006061455.tif 000008
【図７】
2006061455.tif 000009
【図８】
2006061455.tif 000010
【図９】
2006061455.tif 000011
【図１０】
2006061455.tif 000012
【図１１】
2006061455.tif 000013